(57)【特許請求の範囲】
【請求項１】
ユーザ機器（ＵＥ）により実行されるネットワークスライス選択方法であって、
ネットワーク装置から現在ネットワークのスライスリスト情報を取得するステップであって、前記スライスリスト情報は複数のスライス情報片を含み、各スライス情報片はスライス情報のサービス種別を含む、ステップと、
目標サービス要求を決定するステップと、
前記目標サービス要求に含まれる目標サービス種別を決定し、前記目標サービス要求に対応するスライス選択ポリシを決定し、前記現在ネットワークの前記スライスリスト情報から利用可能スライス情報を決定し、前記利用可能スライス情報は前記目標サービス種別に対応するスライス情報を含み、前記スライス選択ポリシに合う目標スライスを選択するステップであって、前記スライス選択ポリシは、スライスのサービス品質要件及び課金要件のうちの少なくとも１つを含む、ステップと、
前記目標サービス要求に対応するサービスを前記目標スライスに接続するステップと、
を含む方法。
【請求項２】
各スライス情報片は、前記スライスのサービス品質基準又は課金基準のうちの少なくとも１つを含み、
前記利用可能スライス情報から、前記スライス選択ポリシに合う前記目標スライスを選択する前記ステップは、
前記利用可能スライス情報から、サービス品質基準が前記スライス選択ポリシの中の前記サービス品質要件に合う目標スライスを選択するステップ、又は、
前記利用可能スライス情報から、課金基準が前記スライス選択ポリシの中の前記課金要件に合う目標スライスを選択するステップ、又は、
前記利用可能スライス情報から、サービス品質基準が前記スライス選択ポリシの中の前記サービス品質要件に合い且つ課金基準が前記スライス選択ポリシの中の前記課金要件に合う目標スライスを選択するステップ、
を含む、請求項１に記載の方法。
【請求項３】
前記方法は、
スライス選択ポリシ情報を取得し、前記スライス選択ポリシ情報を格納するステップであって、前記スライス選択ポリシ情報は、前記スライス選択ポリシを含む、ステップ、
を更に含む請求項１又は２に記載の方法。
【請求項４】
前記スライス選択ポリシ情報は、サービス種別の識別子を含み、
前記目標サービス要求は、前記目標サービス要求の目標サービス種別の識別子を含み、
前記目標サービス要求に基づき、前記目標サービス要求に対応する前記スライス選択ポリシを決定する前記ステップは、
前記スライス選択ポリシ情報から、前記目標サービス種別の前記識別子に対応する前記スライス選択ポリシを決定するステップを含む、
請求項３に記載の方法。
【請求項５】
前記ネットワーク装置から前記現在ネットワークの前記スライスリスト情報を取得する前記ステップは、
前記ネットワーク装置へアタッチ要求を送信するステップと、
前記ネットワーク装置から、前記アタッチ要求に応答するアタッチ応答メッセージを受信するステップであって、前記アタッチ応答メッセージは、前記現在ネットワークの前記スライスリスト情報を含む、ステップと、
を含む、請求項１又は２に記載の方法。
【請求項６】
ユーザ機器（ＵＥ）であって、
ネットワーク装置から、現在ネットワークのスライスリスト情報を取得するよう構成される取得ユニットであって、前記スライスリスト情報は複数のスライス情報片を含み、各スライス情報片はスライス情報のサービス種別を含む、取得ユニットと、
目標サービス要求を決定するよう構成される要求決定ユニットと、
前記目標サービス要求に含まれる目標サービス種別を決定し、前記目標サービス要求に対応するスライス選択ポリシを決定し、前記現在ネットワークの前記スライスリスト情報から利用可能スライス情報を決定し、前記利用可能スライス情報は前記目標サービス種別に対応するスライス情報を含み、前記スライス選択ポリシに合う目標スライスを選択するよう構成される目標スライス決定ユニットであって、前記スライス選択ポリシは、スライスのサービス品質要件及び課金要件のうちの少なくとも１つを含む、目標スライス決定ユニットと、
前記目標サービス要求に対応するサービスを前記目標スライスに接続するよう構成されるサービス接続ユニットと、
を含むユーザ機器。
【請求項７】
各スライス情報片は、前記スライスのサービス品質基準及び課金基準のうちの少なくとも１つを含み、
前記目標スライス決定ユニットは、前記利用可能スライス情報から、サービス品質基準が前記スライス選択ポリシの中の前記サービス品質要件に合う目標スライスを選択するよう構成される、又は、
前記目標スライス決定ユニットは、前記利用可能スライス情報から、課金基準が前記スライス選択ポリシの中の前記課金要件に合う目標スライスを選択するよう構成される、又は、
前記目標スライス決定ユニットは、前記利用可能スライス情報から、サービス品質基準が前記スライス選択ポリシの中の前記サービス品質要件に合い且つ課金基準が前記スライス選択ポリシの中の前記課金要件に合う目標スライスを選択するよう構成される、
請求項６に記載のユーザ機器。
【請求項８】
前記ユーザ機器は、
スライス選択ポリシ情報を取得するよう構成されるポリシ取得ユニットと、
前記スライス選択ポリシ情報を格納するよう構成される記憶ユニットであって、前記スライス選択ポリシ情報は、前記スライス選択ポリシを含む、記憶ユニットと、
を更に含む請求項６又は７に記載のユーザ機器。
【請求項９】
前記スライス選択ポリシ情報は、サービス種別の識別子を含み、
前記目標サービス要求は、前記目標サービス要求の目標サービス種別の識別子を含み、
前記目標スライス決定ユニットは、前記スライス選択ポリシ情報から、前記目標サービス種別の前記識別子に対応するスライス選択ポリシを決定するよう構成される、
請求項８に記載のユーザ機器。
【請求項１０】
前記取得ユニットは、前記ネットワーク装置へアタッチ要求を送信し、前記ネットワーク装置から、前記アタッチ要求に応答するアタッチ応答メッセージを受信するよう構成され、前記アタッチ応答メッセージは、前記現在ネットワークの前記スライスリスト情報を含む、請求項６に記載のユーザ機器。
【請求項１１】
ネットワークスライス選択システムであって、
請求項６乃至１０のいずれか一項に記載のユーザ機器（ＵＥ）と、
前記ＵＥへ現在ネットワークのスライスリスト情報を送信するよう構成されるネットワーク装置と、
を含むシステム。
【請求項１２】
前記ネットワーク装置は、
前記ＵＥのアタッチ要求メッセージを受信した後に、前記スライスリスト情報を取得し、
前記アタッチ要求メッセージに基づきアタッチ応答メッセージを生成し、前記アタッチ応答メッセージを前記ＵＥへ送信する、よう構成され、前記アタッチ応答メッセージは前記スライスリスト情報を含み、前記スライスリスト情報は、前記現在ネットワークの前記スライスリスト情報から、前記ＵＥにより受信された目標サービス要求に対応するサービスによりアクセスされるべき目標スライスを決定するために使用される、請求項１１に記載のシステム。
【請求項１３】
コンピュータに請求項１乃至５のいずれか一項に記載の方法を実行させるプログラム。
【発明の詳細な説明】
【技術分野】
【０００１】
［関連出願］
本願は、参照によりその全体がここに組み込まれる中国特許出願番号２０１７１０１６５７２８．３、２０１７年３月２０日に中国特許庁に出願、名称「NETWORK  SLICE  SELECTION  METHOD,  USER  EQUIPMENT,  AND  NETWORK  DEVICE」の優先権を主張する。
【０００２】
［技術分野］
本願は、通信の分野に関し、特に、ネットワークスライス選択方法、ユーザ機器、及びネットワーク装置に関する。
【背景技術】
【０００３】
通信技術の発展に伴い、ネットワークスライシングの概念が５Ｇネットワークアーキテクチャに導入される。ネットワークスライシングは、主に、異なるサービス要件に適応するために同じインフラストラクチャ内で複数の独立した専用仮想サブネットワークが生成されることを意味する。ネットワークスライシングは、モバイルブロードバンド、モノのインターネット、スマートグリッド、リモート電子医療、公共安全サービス、等を含む異なるサービスを良好にサポートできる。
【０００４】
現在、ＳＡ２で提案されたネットワークスライス選択方法（３ＧＰＰ  ＴＲ２３．７９９）では、ユーザ機器（User  Equipment、UE）はネットワークスライスにアクセスし、ＵＥにより伝達されるメッセージは、ユーザ識別子、ＵＥの使用種別（usage  type）、及びＵＥのサービス種別（service  type）のような支援情報を含む。スライス選択機能（Slice  Selection  Function、SSF）は、ユーザ識別子に基づき加入者管理装置（Home  Subscriber  Server、HSS）にアクセスして、ユーザ加入者情報を取得し、ＵＥの使用種別及びサービス種別に基づき、サービス種別に適するネットワークスライスを選択する。次に、ＳＳＦは、ユーザ加入者情報（例えば、ユーザレベル）に基づき、最も適したネットワークスライスを選択する。ネットワークスライスを選択した後に、ＳＳＦは、スライスに関する情報をＵＥに返し、ＵＥはネットワークスライスへの接続を確立する。
【０００５】
従来、ネットワークスライス選択は、主に、ネットワーク側で実行され、ネットワークスライスは、主に、ユーザ加入者情報に基づき選択される。したがって、スライス選択方法は比較的単調である。結果として、ＵＥは、異なる要件に基づき、異なるネットワークスライスを動的に選択できず、多角化したネットワークスライスに対するＵＥの要件は満たされ得ない。
【発明の概要】
【０００６】
本発明の実施形態は、ＵＥが異なる要件に基づきアクセスされる必要のあるネットワークスライスを動的に選択できるようする、ネットワークスライス選択方法、ユーザ機器、及びネットワーク装置を提供する。
【０００７】
第１の態様によると、本発明の一実施形態は、ネットワークスライス選択方法を提供し、前記方法は、
ＵＥにより、ネットワーク装置から現在ネットワークのスライスリスト情報を取得するステップと、前記ＵＥにより、目標サービス要求を決定するステップと、前記目標サービス要求に基づき、前記現在ネットワークの前記スライスリスト情報から、前記目標サービス要求に対応する目標スライスを決定するステップと、前記目標サービス要求に対応するサービスを前記目標スライスに接続するステップと、を含む。
【０００８】
本発明の本実施形態によると、適切なネットワークスは、ユーザ加入者情報に基づきネットワーク側で選択されるのではなく、代わりに、ＵＥ端が、現在目標サービス要求に基づき現在ネットワークのスライスリスト情報から、目標サービス要求により要求される目標スライスを選択する。このように、ＵＥは、異なるサービス要求に基づき、アクセスされる必要のあるネットワークスライスを動的に選択でき、多角化するネットワークスライスに対するＵＥの要件が満たされ得る。
【０００９】
可能な実装では、ＵＥが、前記目標サービス要求に基づき、前記現在ネットワークの前記スライスリスト情報から、前記目標サービス要求に対応する目標スライスを決定する特定の方法は、前記ＵＥにより、前記目標サービス要求に基づき、前記目標サービス要求に対応するスライス選択ポリシを決定するステップと、次に、前記現在ネットワークの前記スライスリスト情報から、前記スライス選択ポリシに合う目標スライスを選択するステップと、であってよい。
【００１０】
本実装では、ＵＥ端は、現在ネットワークのスライスリスト情報から、目標サービス要求に対応するスライス選択ポリシに基づき、目標サービス要求により要求される目標スライスを選択する。このように、ＵＥは、異なるサービス要求に基づき、アクセスされる必要のあるネットワークスライスを動的に選択でき、多角化するネットワークスライスに対するＵＥの要件が満たされる。
【００１１】
別の可能な実装では、前記現在ネットワークの前記スライスリスト情報は、複数のスライス情報片を含み、各スライス情報片は、スライス情報のサービス種別を含み、前記ＵＥが、前記目標サービス要求に基づき、前記現在ネットワークの前記スライスリスト情報から、前記目標サービス要求に対応する目標スライスを決定する特定の方法は、前記ＵＥにより、前記目標サービス要求の目標サービス種別を決定するステップと、前記現在ネットワークの前記スライスリスト情報から、前記目標サービス種別に対応するスライス情報（つまり利用可能スライス情報）を決定するステップと、前記ＵＥにより、ユーザにより入力されたスライス選択命令を受信するステップと、前記命令に基づき、前記利用可能スライス情報から前記目標スライスを決定するステップと、を含む。
【００１２】
本実装では、ＵＥ端は、目標サービス要求に基づき、現在ネットワークのスライスリスト情報から利用可能スライス情報を決定し、ユーザは、次に、利用可能スライス情報から適切な目標スライスを選択する。したがって、ＵＥは、異なるサービス要求に基づき、現在サービスによりアクセスされる必要のあるネットワークスライスを動的に選択することもできる。
【００１３】
任意で、あるサービス種別のスライスは、該サービス種別のサービス要求のみのためにサービスを提供できる。したがって、現在ネットワークのスライスリスト情報から、スライス選択ポリシに合う目標スライスを選択するとき、ＵＥは、先ず、目標サービス要求のサービス種別を決定し、次に、現在ネットワークのスライスリスト情報から、目標サービス種別に対応するスライス情報（つまり、利用可能スライス情報）を決定し、最後に、利用可能スライス情報から、スライス選択ポリシに合う目標スライスを選択してよい。
【００１４】
任意で、スライス選択ポリシが、スライスのサービス品質要件及び課金要件のうちの少なくとも１つを含み、各スライス情報片が、該スライスのサービス品質基準及び課金基準のうちの少なくとも１つを含む場合、利用可能スライス情報から、スライス選択ポリシに合う目標スライスを選択するステップは、実際には、スライス選択ポリシの中の特定スライス要件を、スライス情報の中で提供される特定スライス基準と照合するステップである。
【００１５】
例えば、サービス品質基準がスライス選択ポリシの中のサービス品質要件に合う目標スライスが、利用可能スライス情報から選択されてよく、又は、課金基準がスライス選択ポリシの中の課金要件に合う目標スライスが、利用可能スライス情報から選択されてよく、又は、サービス品質基準がスライス選択ポリシの中のサービス品質要件に合い且つ課金基準がスライス選択ポリシの中の課金要件に合う目標スライスが利用可能スライス情報から選択されてよい。
【００１６】
任意で、スライス選択ポリシ情報は、ＵＥにより取得されローカルに格納された情報であり、スライス選択ポリシ情報は、スライス選択ポリシを含み、サービス種別、アプリケーション識別子、又はアプリケーションの中の相互作用オブジェクトの識別子を更に含んでよい。
【００１７】
特定の実施形態では、ＵＥがスライス選択ポリシ情報を取得する方法は、ＵＥが、ユーザにより入力されたスライス選択設定を取得することであってよい。
【００１８】
特定の実施形態では、ＵＥがスライス選択ポリシ情報を取得する方法は、ＵＥが、アプリケーションにより提供されるサービスに基づき、アプリケーションにより要求されるスライス情報を決定し、アプリケーションのためにスライス選択ポリシを予め構成することであってよい。
【００１９】
任意で、前記スライス選択ポリシ情報は、サービス種別の識別子を含み、前記目標サービス要求は、前記目標サービス要求の前記目標サービス種別の識別子を含み、前記ＵＥにより、前記目標サービス要求に基づき、前記目標サービス要求に対応するスライス選択ポリシを決定する処理は、前記ＵＥにより、前記スライス選択ポリシ情報から、前記目標サービス種別の前記識別子に対応するスライス選択ポリシを決定するステップであってよい。
【００２０】
任意で、前記スライス選択ポリシ情報がアプリケーション識別子を含み、前記目標サービス要求が前記目標サービス要求を開始した目標アプリケーションの識別子を含むとき、前記ＵＥにより、前記目標サービス要求に基づき、前記目標サービス要求に対応するスライス選択ポリシを決定する処理は、前記ＵＥにより、前記スライス選択ポリシ情報から、前記目標アプリケーションの前記識別子に対応するスライス選択ポリシを決定するステップであってよい。
【００２１】
任意で、前記スライス選択ポリシ情報が目標アプリケーションの識別子を含み、前記目標サービス要求が前記目標サービス要求を開始した目標アプリケーションの識別子を含むとき、前記ＵＥにより、前記目標サービス要求に基づき、前記目標サービス要求に対応するスライス選択ポリシを決定する処理は、前記ＵＥにより、前記スライス選択ポリシ情報から、前記目標アプリケーションの前記識別子に対応するスライス選択ポリシを決定するステップであってよい。
【００２２】
任意で、前記ＵＥにより前記ネットワーク装置から取得された前記現在ネットワークの前記スライスリスト情報は、前記ネットワーク装置により、前記ＵＥのアタッチ処理の中で、前記ＵＥへ送信されてよい。特定の処理は、前記ＵＥにより、前記ネットワーク装置へアタッチ要求を送信するステップと、前記ＵＥにより前記ネットワーク装置から、前記アタッチ要求に応答するアタッチ応答メッセージを受信するステップであって、前記アタッチ応答メッセージは前記現在ネットワークの前記スライスリスト情報を伝達する、ステップと、であってよい。
【００２３】
任意で、前記ＵＥが前記目標サービス要求を決定する方法は、前記ＵＥにより、前記ユーザにより入力されたサービス選択命令を受信するステップと、前記サービス選択命令に基づき前記目標サービス要求を決定するステップと、であってよい。
【００２４】
第２の態様によると、本発明の一実施形態は、ネットワークスライス選択方法を更に適用し、前記方法は、
ネットワーク装置により、ＵＥのアタッチ要求メッセージを受信した後に、現在ネットワークのスライスリスト情報を取得するステップと、前記アタッチ要求メッセージに基づきアタッチ応答メッセージを生成し、前記アタッチ応答メッセージを前記ＵＥへ送信するステップであって、前記アタッチ応答メッセージは、前記現在ネットワークの前記スライスリスト情報を含み、前記現在ネットワークの前記スライスリスト情報は、前記ＵＥが目標サービス要求を受信した後に、前記目標サービス要求に基づき前記現在ネットワークの前記スライスリスト情報から、前記目標サービス要求に対応するサービスによりアクセスされるべき目標スライスを決定するために前記ＵＥにより使用される、ステップと、を含む。
【００２５】
本発明の本実施形態では、前記ネットワーク装置は、前記現在ネットワークの前記スライスリスト情報を前記ＵＥへ送信し、その結果、前記ＵＥは、異なるサービス要求に基づき、アクセスされる必要のあるネットワークスライスを動的に選択でき、多角化するネットワークスライスに対するＵＥの要件が満たされ得る。
【００２６】
任意で、前記ネットワーク装置がスライス選択機能装置であるとき、前記ネットワーク装置により、前記アタッチ応答メッセージを前記ＵＥへ送信する前記ステップは、具体的に、前記スライス選択機能装置により、アクセスネットワーク装置を介して、前記アタッチ応答メッセージを前記ＵＥへ送信するステップであってよい。
【００２７】
任意で、前記ネットワーク装置が制御プレーン装置であるとき、前記ネットワーク装置により、前記アタッチ応答メッセージを前記ＵＥへ送信する前記ステップは、具体的に、前記制御プレーン装置により、前記アタッチ応答メッセージを前記スライス選択機能装置へ送信し、前記スライス選択機能装置により、アクセスネットワーク装置を介して、前記アタッチ応答メッセージを前記ＵＥへ送信するステップであってよい。
【００２８】
任意で、前記ネットワーク装置がアクセスネットワーク装置であるとき、前記ネットワーク装置により、前記アタッチ応答メッセージを前記ＵＥへ送信する前記ステップは、前記アクセスネットワーク装置により、前記アタッチ応答メッセージを前記ＵＥへ送信するステップである。
【００２９】
第３の態様によると、本発明の一実施形態は、ユーザ機器であって、具体的に、第１の態様で提供されたネットワークスライス選択方法に対応する機能を実施するユーザ機器を更に提供する。前記機能は、ハードウェアにより実装されてよく、又は対応するソフトウェアプログラムを実行するハードウェアにより実装されてよい。前記ハードウェア又はソフトウェアは、前述の機能に対応する１つ以上のユニット／モジュールを含む。前記ユニット／モジュールは、ハードウェア及び／又はソフトウェアであってよい。
【００３０】
可能な設計では、ユーザ機器は、
ネットワーク装置から、現在ネットワークのスライスリスト情報を取得するよう構成される取得ユニットと、
目標サービス要求を決定するよう構成される要求決定ユニットと、
前記現在ネットワークの前記スライスリスト情報から、前記目標サービス要求に基づき、前記目標サービス要求に対応する目標スライスを決定するよう構成される目標スライス決定ユニットと、
前記目標サービス要求に対応するサービスを前記目標スライスに接続するよう構成されるサービス接続ユニットと、を含む。
【００３１】
可能な設計では、前記ユーザ機器は、
プロセッサ、メモリ、及び通信機を含み、
前記メモリはプログラムコードを格納するよう構成され、前記プロセッサは、前記メモリに格納された前記プログラムコードを呼び出して、以下の動作：
前記通信機を用いて、ネットワーク装置から現在ネットワークのスライスリスト情報を取得するステップと、目標サービス要求を決定するステップと、前記現在ネットワークの前記スライスリスト情報から、前記目標サービス要求に基づき、前記目標サービス要求に対応する目標スライスを決定するステップと、前記目標サービス要求に対応するサービスを前記目標スライスに接続するステップと、を実行する。
【００３２】
第４の態様によると、本発明の一実施形態は、ネットワーク装置であって、具体的に、第２の態様で提供されたネットワークスライス選択方法に対応する機能を実施するネットワーク装置を更に提供する。前記機能は、ハードウェアにより実装されてよく、又は対応するソフトウェアプログラムを実行するハードウェアにより実装されてよい。前記ハードウェア又はソフトウェアは、前述の機能に対応する１つ以上のユニット／モジュールを含む。前記ユニット／モジュールは、ハードウェア及び／又はソフトウェアであってよい。
【００３３】
可能な設計では、ネットワーク装置は、
ユーザ機器ＵＥのアタッチ要求メッセージを受信した後に、現在ネットワークのスライスリスト情報を取得するよう構成される取得ユニットと、
前記アタッチ要求メッセージに基づきアタッチ応答メッセージを生成するよう構成される生成ユニットと、
前記アタッチ応答メッセージを前記ＵＥへ送信するよう構成される送信ユニットであって、前記アタッチ応答メッセージは、前記現在ネットワークの前記スライスリスト情報を含み、前記現在ネットワークの前記スライスリスト情報は、前記ＵＥが目標サービス要求を受信した後に、前記目標サービス要求に基づき前記現在ネットワークの前記スライスリスト情報から、前記目標サービス要求に対応するサービスによりアクセスされるべき目標スライスを決定するために前記ＵＥにより使用される、送信ユニットと、を含む。
【００３４】
可能な設計では、ネットワーク装置は、
プロセッサ、メモリ、及びネットワークインタフェースを含み、
前記メモリはプログラムコードを格納するよう構成され、前記プロセッサは、前記メモリに格納された前記プログラムコードを呼び出して、以下の動作：
前記ネットワークインタフェースを用いて、ＵＥのアタッチ要求メッセージを受信した後に、現在ネットワークのスライスリスト情報を取得するステップと、前記アタッチ要求メッセージに基づきアタッチ応答メッセージを生成するステップと、前記アタッチ応答メッセージを前記ＵＥへ送信するステップであって、前記アタッチ応答メッセージは、前記現在ネットワークの前記スライスリスト情報を含み、前記現在ネットワークの前記スライスリスト情報は、前記ＵＥが目標サービス要求を受信した後に、前記目標サービス要求に基づき前記現在ネットワークの前記スライスリスト情報から、前記目標サービス要求に対応するサービスによりアクセスされるべき目標スライスを決定するために前記ＵＥにより使用される、ステップと、を実行するよう構成される。
【００３５】
第５の態様によると、本願は、コンピュータ記憶媒体を更に提供する。前記媒体は、アプリケーションプログラムを格納し、前記プログラムが実行されると、第１の態様で提供されたネットワークスライス選択方法に対応する機能のステップのうちの一部又は全部が含まれる。
【００３６】
第６の態様によると、本願は、コンピュータ記憶媒体を更に提供する。前記媒体は、アプリケーションプログラムを格納し、前記プログラムが実行されると、第２の態様で提供されたネットワークスライス選択方法の機能のステップのうちの一部又は全部が含まれる。
【００３７】
第７の態様によると、本願は、命令を含むコンピュータプログラムプロダクトを更に提供する。コンピュータプログラムプロダクトがコンピュータ上で実行すると、該コンピュータは、前述の態様で記載された方法を実行する。
【００３８】
前述の技術的ソリューションから、本発明の実施形態は以下の利点を有することが分かる。
【００３９】
本発明の実施形態では、ＵＥは、ネットワーク装置から現在ネットワークのスライスリスト情報を取得し、目標サービス要求を決定した後に、ＵＥは、現在ネットワークのスライスリスト情報から、目標サービス要求に基づき目標スライスを決定し、目標サービス要求に対応するサービスを目標スライスに接続する。本発明の実施形態によると、ＵＥ端は、現在ネットワークのスライスリスト情報から、目標サービス要求に基づき、目標サービス要求により要求される目標スライスを選択する。このように、ＵＥは、異なるサービス要求に基づき、アクセスされる必要のあるネットワークスライスを動的に選択でき、多角化するネットワークスライスに対するＵＥの要件が満たされ得る。
【図面の簡単な説明】
【００４０】
【図１】本発明の一実施形態によるネットワークスライスアーキテクチャの図である。
【００４１】
【図２】本発明の一実施形態によるネットワークスライス選択方法のフローチャートである。
【００４２】
【図３】本発明の一実施形態によるネットワークスライス選択方法の情報交換フローチャートである。
【００４３】
【図４】本発明の一実施形態によるネットワークスライス選択方法の別の情報交換フローチャートである。
【００４４】
【図５】本発明の一実施形態によるネットワークスライス選択方法の別の情報交換フローチャートである。
【００４５】
【図６】本発明の一実施形態によるユーザ機器の機能モジュール構造の概略図である。
【００４６】
【図７】本発明の一実施形態によるユーザ機器の別の機能モジュール構造の概略図である。
【００４７】
【図８】本発明の一実施形態によるユーザ機器のハードウェア構造の概略図である。
【００４８】
【図９】本発明の一実施形態によるネットワーク装置の機能モジュール構造の概略図である。
【００４９】
【図１０】本発明の一実施形態によるネットワーク装置のハードウェア構造の概略図である。
【発明を実施するための形態】
【００５０】
以下は、添付の図面を参照して本発明の実施形態を詳細に記載する。
【００５１】
５Ｇの段階では、膨大な数の装置がネットワークにアクセスし、これらの装置は、異なる分野に属し、異なる特徴及び要件を有する。異なる装置は、モビリティ、セキュリティ、遅延、信頼性、及びネットワークの課金方法に対してさえも、異なる要件を有する。
【００５２】
現在、５Ｇの適用シナリオは、拡張モバイルブロードバンド（Enhanced  Mobile  Broadband、eMBB）、マッシブな機械型通信（Massive  Machine  Type  Communication、mMTC）、超高信頼且つ低遅延通信（Ultra-Reliable  and  Low-Latency  Communication、URLLC）を含む。
【００５３】
ｅＭＢＢシナリオは、主に、４Ｋ／８Ｋ超高解像度ビデオ、ホログラフィ技術、拡張現実／仮想現実のようなアプリケーションを対象とする。モバイルブロードバンドの主要な要件は、より大きなデータ容量である。インターネットをサーフするためのスマート端末ユーザのピークレートは、仮想現実、ユビキタス生放送、及びビデオ共有、及びクラウドアクセスのような高帯域幅アプリケーションをいつでもどこでも可能にするために、１０Ｇｂｉｔ／ｓ又は実に２０Ｇｂｉｔ／ｓに達する必要がある。
【００５４】
ｍＭＴＣシナリオは、測定、建築、農業、物流、スマートシティ、及び家庭のような分野において展開されるマッシブセンサに適用される。これらのセンサは、非常に高密度に展開され、ほとんど静的である。これは、５Ｇネットワークがマッシブ接続をサポートすることを要求し、人とモノとの接続数は１００万／平方キロメートルに達する。
【００５５】
ＵＲＬＬＣシナリオは、主に、無人運転、自動工場、及びスマートグリッドのような分野に適用され、主要な要件は、超低遅延及び高信頼性である。垂直的業界アプリケーション、例えば、スマート製造、遠隔機械的制御、運転支援、及び自動走行のような低遅延サービスを可能にするために、１ミリ秒程の短い遅延が５Ｇネットワークに対して要求される。
【００５６】
異なる装置はネットワークに対する異なる要件を有する。したがって、ネットワークスライシングの概念が５Ｇネットワークアーキテクチャに導入される。ネットワークスライシングは、物理ネットワークを複数の仮想エンドツーエンドネットワークにスライスすることを意味する。これらの仮想ネットワークは、該ネットワーク内に装置並びにアクセス、トランスポート、及びコアネットワークを含み、論理的に独立しており、任意の１つの仮想ネットワーク内で生じる障害が任意の他の仮想ネットワークに影響しない。仮想ネットワークは、それぞれ、異なる機能特徴を有し、異なる要件及びサービスを対象とする。
【００５７】
５Ｇネットワークスライスアーキテクチャの図は図１に示され、５Ｇネットワークスライスアーキテクチャは、ユーザ機器（User  Equipment、UE）、及びアクセスネットワーク（Access  Network、AN）のようなネットワーク要素、スライス選択機能（Slice  Selection  Function、SSF）、共通制御プレーンネットワーク機能（Common  Control  Plane  Network  Functions、Common  CP  NFs）、スライスのための制御プレーンネットワーク機能（CP  NFs  for  Slice）、スライスのためのユーザプレーンネットワーク機能（User  Plane  Network  Functions  for  Slice、UP  NFs  for  Slice）、及び加入者レポジトリ（Subscriber  Repository）を含む。
【００５８】
ＵＥは、ハンドヘルド装置、車内装置、ウェアラブル装置、又は無線通信機能を有するコンピューティング装置、又は無線モデムに接続された別の処理装置、及び移動局（Mobile  station、略称：MS）、端末（terminal）、端末装置（Terminal  Device）、モノのインターネット装置、及び様々な形態の同様のものを含んでよい。説明を容易にするために、本願では、これらの装置は簡単にユーザ機器又はＵＥと呼ばれる。
【００５９】
ＡＮは、無線関連機能を実装するよう構成される。ＡＮは、無線アクセスネットワーク（Radio  Access  network、RAN）であってよく、具体的には基地局であってよい。
【００６０】
本願における基地局は、１つ以上のセクタを用いて無線インタフェースを介して無線端末と通信する、アクセスネットワーク内の装置であってよい。基地局は、狭義の基地局、つまり公衆移動通信基地局であってよく、又は、広義の基地局、つまり基地局サブシステムであってよい。例えば、基地局は、移動体通信のためのグローバルシステム（Global  System  for  Mobile  Communication、GSM）又は符号分割多元接続（Code  Division  Multiple  Access、CDMA）における基地トランシーバ局（Base  Transceiver  Station、BTS）であってよく、又は広帯域符号分割多元接続（Wideband  Code  Division  Multiple  Access、WCDMA）におけるＮｏｄｅＢ（NodeB）であってよく、又はロングタームエボリューション（Long  Term  Evolution、LTE）における進化型ＮｏｄｅＢ（NodeB又はeNB又はeNodeB、evolutional  Node  B）であってよい。これは、本願において限定されない。
【００６１】
ＳＳＦは、代替として、ＳＳＦアクセス管理機能（SSF  Access  Management  Function、SSF-AMF）であってよく、スライスを選択するよう構成される。
【００６２】
共通制御プレーンネットワーク機能は、複数のスライスにより共有される制御プレーン機能、例えばモビリティ管理機能である。スライスのための制御プレーンネットワーク機能は、スライスにより共有されない部分、例えばセッション管理機能である。
【００６３】
任意で、共通制御プレーンネットワーク機能及びスライスのための制御プレーンネットワーク機能は、集合的に、実際には制御プレーン（Control  Plane、CP）と呼ばれてよい。本発明の実施形態では、共通制御プレーンネットワーク機能及びスライスのための制御プレーンネットワーク機能は、説明のためにＣＰとして統一される。
【００６４】
ＣＰは、モビリティ状態管理、一時ユーザ識別割り当て、及びユーザ認証及び認可のような機能を含むユーザモビリティ管理を担う。ＣＰは、ユーザプレーン（ＵＰ）ネットワーク要素選択、ユーザプレーンネットワーク要素リダイレクト、及びＩＰアドレス割り当てを含むセッション管理機能も担い、ベアラの確立、変更、及び解放のような機能、並びにサービス品質（Quality  of  Service、QoS）制御を担う。
【００６５】
スライスのためのユーザプレーンネットワーク機能は、簡単にユーザプレーン（User  Plane、UP）と呼ばれてよく、ユーザパケット転送及びカプセル化、並びにユーザパケットに関する統計の収集のような機能を有する。
【００６６】
加入者レポジトリは、ユーザ情報を格納するよう構成されたコアデータベースである。
【００６７】
図１に示したアーキテクチャに基づき、本発明の実施形態におけるネットワークスライス選択方法は、図２、図３、図４、及び図５を参照して以下に記載される。
【００６８】
本発明の実施形態におけるネットワーク装置は、図１に示した５Ｇネットワークスライスアーキテクチャの中のＡＮ、ＳＳＦ、及びＣＰのうちの１つ以上に対応するネットワーク装置であってよい。
【００６９】
２０１。ＵＥは、ネットワーク装置から現在ネットワークのスライスリスト情報を取得する。
【００７０】
現在ネットワークのスライスリスト情報は、ＵＥに現在サービスしている基地局により提供可能なスライス情報を含むリストである。現在ネットワークのスライスリスト情報は、複数のスライス情報片を含み、各スライス情報片は、スライス選択支援情報（Single  Network  Slice  Selection  Assistance  information、S-NSSAI）及びスライス情報のサービス種別を含む。
【００７１】
スライス選択支援情報は、スライスＩＤ（Slice  Identification）又はネットワークスライスＩＤ（Network  Slice  Identification、Nes-ID）であってよい。
【００７２】
サービス種別は、サービス種別（Service  Type）とも呼ばれてよく、サービスの種別を識別するために使用される。例えば、サービス種別は、ｅＭＢＢサービス、ＵＲＬＬＣサービス、又はｍＭＴＣサービスのようなサービス種別を示すために使用される。各サービス種別は、対応するサービス種別識別子を有する。１つのネットワークスライスは、１つのサービス種別に対応していてよく、１つのサービス種別は複数のネットワークスライスをカバーする。したがって、サービス種別とネットワークスライスとの間にマッピング関係がある。
【００７３】
任意で、各スライス情報片は、スライスのサービス品質基準及びスライスの課金基準のような情報を更に含んでよい。
【００７４】
スライスのサービス品質基準は、スライスにより提供されるサービス品質のレベルを定め、サービス品質は、遅延、信頼性、帯域幅、及びセキュリティのような内容を含んでよい。スライスのサービス品質基準は、要件に従い柔軟に設定されてよく、例えば、高レベル、中レベル、又は低レベルに基づいてよく、或いは格付け法で設定されてよい。これは、本願において限定されない。
【００７５】
スライスの課金基準は、スライスの課金レベルを定める。スライス課金基準は、具体的に、レベルにより分類されてよく、例えば、高、中、及び低レベルに分類されてよく、或いは、より細かい課金ポリシに基づき分類されてよい。
【００７６】
さらに、各スライス情報片は、他の情報アイテムを更に含んでよい。これはここで限定されない。
【００７７】
ネットワーク装置は、コアネットワーク内のスライス管理システムから、現在ネットワークのスライスリスト情報を取得してよい。例えば、スライス管理システムは、ネットワークのスライスリスト情報を、ＡＮ、ＳＳＦ及びＣＰのようなネットワーク要素を含む、ネットワークスライス上のネットワーク要素に配信し、ネットワーク要素は、現在ネットワークのスライスリスト情報を格納する。
【００７８】
ＵＥがネットワーク装置から現在ネットワークのスライスリスト情報を取得することは、具体的には以下の通りであってよい。ＵＥは、ＵＥアタッチ処理において又はＵＥがセッションを確立する処理において、ネットワーク装置から現在ネットワークのスライスリスト情報を取得する。特定の方法は、本発明の本実施形態において限定されない。
【００７９】
例えば、ＵＥは、ネットワーク装置へアタッチ要求を送信してよい。ネットワーク装置は、ＵＥのアタッチ要求メッセージに基づき、アタッチ応答メッセージを生成し、現在ネットワークのスライスリスト情報をアタッチ応答メッセージに追加し、アタッチ応答メッセージをＵＥへ送信する。ＵＥは、ネットワーク装置からアタッチ応答メッセージを受信し、アタッチ応答メッセージから現在ネットワークのスライスリスト情報を取得する。
【００８０】
任意で、ＵＥは、現在ネットワークの取得したスライスリスト情報を格納する。ネットワーク装置内の現在ネットワークのスライスリスト情報が更新されると（スライス情報が追加、削除、又は変更されると）、ネットワーク装置は、更新されたスライス情報を同期のためにＵＥに提供する。その結果、ＵＥは、ローカルに格納されたスライスリスト情報を更新できる。
【００８１】
２０２。ＵＥは、目標サービス要求を決定する。
【００８２】
目標サービス要求は、ユーザがＵＥ上で目標サービスを選択し及びＵＥがユーザにより入力されたサービス選択命令を受信した後に、サービス選択命令に基づきＵＥにより決定されたサービス要求であってよい。例えば、ユーザがＵＥにインストールされたビデオアプリケーション（Application、APP）でライブビデオを再生するとき、ＵＥは、ユーザにより入力されたビデオサービス選択命令を受信し、該命令に基づきビデオサービス要求を決定する。
【００８３】
２０３。ＵＥは、現在ネットワークのスライスリスト情報から、目標サービス要求に基づき、目標サービス要求に対応する目標スライスを決定する。
【００８４】
具体的に、ＵＥは、複数の実装において、現在ネットワークのスライスリスト情報から、目標サービス要求に基づき、目標サービス要求に対応する目標スライスを決定してよい。
【００８５】
１。目標スライスは、スライス選択ポリシに基づき選択される。
【００８６】
本実装では、ＵＥは、先ず、目標サービス要求に基づき、目標サービス要求に対応するスライス選択ポリシを決定し、次に、ステップ２０１で取得した現在ネットワークのスライスリスト情報から、スライス選択ポリシに合う目標スライスを選択する。
【００８７】
スライス選択ポリシは、スライスのサービス品質要件及び課金要件のような情報を含む。サービス品質要件は、現在要求されているサービスにより要求されるサービス品質を定めるために使用され、課金要件は、現在要求されているサービスに対応する課金要件を定めるために使用される。
【００８８】
スライス選択ポリシの設定中に、スライス選択ポリシのレベルは柔軟に設定されてよく、例えば、高レベル、中レベル、及び低レベルに基づき設定され、又は、格付け法で設定されてよい。これはここで限定されない。
【００８９】
任意で、ＵＥは、スライス選択ポリシ情報を取得し及び格納し、各スライス選択ポリシ情報片はスライス選択ポリシを含む。
【００９０】
ＵＥは、以下の方法でスライス選択ポリシ情報を取得する。
【００９１】
（１）ユーザは、ＵＥにスライス選択ポリシ情報を設定する。
【００９２】
本方法では、ユーザは、ＵＥ上のサービス種別についてスライス選択ポリシを設定してよく、又は、ユーザは、ＵＥ上のアプリケーションについてスライス選択ポリシを設定してよい。
【００９３】
ＵＥ上のビデオアプリケーションが一例として用いられる。ユーザは、ビデオアプリケーションで、ビデオ品質、帯域幅レート、及び遅延のようなパラメータを構成してよい。その結果、ＵＥは、ユーザにより構成されたパラメータに基づき、スライス選択ポリシを生成する。
【００９４】
（２）ＵＥは、アプリケーションについてのスライス選択ポリシ情報を予め構成する。
【００９５】
アプリケーションにより提供されるサービスに依存して、ＵＥは、サービスのために共通に使用される構成パラメータに基づき、アプリケーションにより要求されるスライス情報を決定し、アプリケーションについてスライス選択ポリシを予め構成する。
【００９６】
スライス選択ポリシは、異なる粒度に基づき設定されてよい。例は次の通りである。
【００９７】
（１）スライス選択ポリシは、サービス種別粒度に基づき設定されてよく、１つのスライス選択ポリシがＵＥ上のサービス種別毎に設定される。
【００９８】
例えば、同じスライス選択ポリシＡが全てのｅＭＢＢサービスについて設定され、同じスライス選択ポリシＢが全てのＵＲＬＬＣサービスについて設定され、同じスライス選択ポリシＣが全てのｍＭＴＣサービスについて設定される。
【００９９】
スライス選択ポリシがサービス種別粒度に基づき設定されるとき、スライス選択ポリシ情報は、サービス種別の識別子、及びサービス種別に対応するスライス選択ポリシを含む。
【０１００】
（２）スライス選択ポリシは、アプリケーション粒度に基づき設定されてよく、１つのスライス選択ポリシがＵＥ上のアプリケーション種別毎に又はアプリケーション毎に設定される。
【０１０１】
例えば、ＵＥ上で、同じスライス選択ポリシが全てのビデオ型アプリケーションに設定され、又は１つのスライス選択ポリシがビデオアプリケーション毎に設定される。
【０１０２】
スライス選択ポリシがアプリケーション粒度に基づき設定されるとき、スライス選択ポリシ情報は、アプリケーション識別子（Application  Identifier、APP  ID）、及びアプリケーション識別子に対応するスライス選択ポリシを含む。
【０１０３】
（３）アプリケーション内で、スライス選択ポリシは、異なる相互作用オブジェクトに基づき、異なる相互作用オブジェクトについて設定されてよい。
【０１０４】
例えば、ソーシャルアプリケーションでは、ソーシャルアプリケーションの連絡先リストの中の友達は、連絡先リストの中の友達の親密さレベルに基づき複数のレベルに分類され、ユーザと異なるレベルの友達との間の通信のネットワークサービスレベルを区別するために、１つのスライス選択ポリシがレベル毎に設定される。したがって、例えば、高サービス品質を有するスライスは、高い親密さレベルの友人とのビデオ呼のために使用され得る。
【０１０５】
スライス選択ポリシが相互作用オブジェクト粒度に基づき設定されると、スライス選択ポリシ情報は、相互作用オブジェクトの識別子、及び相互作用オブジェクトの識別子に対応するスライス選択ポリシを含む。
【０１０６】
スライス選択ポリシ情報の中のスライス選択ポリシを設定するための異なる粒度に基づき、ＵＥが目標サービス要求に対応するスライス選択ポリシを決定する特定の方法は、以下のものを含んでよい。
【０１０７】
（１）目標サービス要求が目標サービス要求の目標サービス種別の識別子を含み、ＵＥにより取得されたスライス選択ポリシ情報の中のスライス選択ポリシが、サービス種別粒度に基づき設定されるとき、ＵＥは、スライス選択ポリシ情報から、目標サービス種別の識別子に対応するスライス選択ポリシを決定する。
【０１０８】
（２）目標サービス要求が目標サービス要求を開始した目標アプリケーションの識別子を含み、ＵＥにより取得されたスライス選択ポリシ情報の中のスライス選択ポリシが、アプリケーション粒度に基づき設定されるとき、ＵＥは、スライス選択ポリシ情報から、目標アプリケーションの識別子に対応するスライス選択ポリシを決定する。
【０１０９】
（３）目標サービス要求が目標サービス要求を開始した目標アプリケーションの識別子及び相互作用オブジェクトの識別子を含み、ＵＥにより取得されたスライス選択ポリシ情報の中のスライス選択ポリシが、相互作用オブジェクト粒度に基づき設定されるとき、ＵＥは、スライス選択ポリシ情報から、目標アプリケーションの識別子及び相互作用オブジェクトの識別子の両方に対応するスライス選択ポリシを決定する。
【０１１０】
ＵＥが目標サービス要求に対応するスライス選択ポリシを決定した後に、ステップ２０１で取得された現在ネットワークのスライスリスト情報から、スライス選択ポリシに合う目標スライスを選択する特定の方法は、以下の通りである。
【０１１１】
ＵＥは、先ず、目標サービス要求のサービス種別を決定し、現在ネットワークのスライスリスト情報から、目標サービス種別に対応するスライス情報（利用可能スライス情報）を決定し、次に、利用可能スライス情報から、スライス選択ポリシに合う目標スライスを選択する。
【０１１２】
利用可能スライス情報から、スライス選択ポリシに合う目標スライスを選択する特定の方法は、スライス選択ポリシの中にあるサービス品質要件及び課金要件のような情報を、利用可能スライス情報の中の各スライス情報片のものであるサービス品質基準及び課金基準と照合して、スライス選択ポリシに適合する目標スライスを見付けることである。
【０１１３】
具体的に、サービス品質基準がスライス選択ポリシの中のサービス品質要件に合う目標スライスが、利用可能スライス情報から選択され、又は、課金基準がスライス選択ポリシの中の課金要件に合う目標スライスが、利用可能スライス情報から選択され、又は、サービス品質基準がスライス選択ポリシの中のサービス品質要件に合い且つ課金基準がスライス選択ポリシの中の課金要件に合う目標スライスが利用可能スライス情報から選択される。
【０１１４】
例えば、アプリケーションについて構成されたスライス選択ポリシが、サービス品質が高であり課金が「中」であるスライスが優先的に選択される必要があることである、と仮定する。この場合、先ず、利用可能スライス情報の中のスライスは、サービス品質が高であるスライスを選択するために、サービス品質に基づきソートされ、次に、選択されたスライスは、課金基準が「中」であるスライスを選択するために、課金基準に基づきソートされ、最後に、適切なスライスが選択され、スライスに対応するスライス識別子が取得される。
【０１１５】
２。目標スライスは、ユーザにより入力されたスライス選択命令に基づき決定される。
【０１１６】
別の任意的実装では、ＵＥは、先ず、目標サービス要求の目標サービス種別を決定し、次に、現在ネットワークのスライスリスト情報から、目標サービス要求に対応するスライス情報（つまり、利用可能スライス情報）を決定する。ＵＥは、ユーザが選択を行うのを助けるために、利用可能スライス情報をユーザに提示する。ユーザにより入力されたスライス選択命令を受信した後に、ＵＥは、スライス選択命令に基づき利用可能スライス情報から、ユーザにより選択された目標スライスを決定する。
【０１１７】
２０４。ＵＥは、目標サービス要求に対応するサービスを目標スライスに接続する。
【０１１８】
目標サービス要求に対応する目標スライスを決定した後に、ＵＥは、目標スライスを用いて対応するサービスを提供するために、目標サービス要求に対応するサービスを目標スライス接続する。
【０１１９】
本発明の本実施形態では、ＵＥは、ネットワーク装置から現在ネットワークのスライスリスト情報を取得し、ＵＥにより要求されるサービスに基づき、現在ネットワークのスライスリスト情報から、目標スライスを決定して、ＵＥにより要求されたサービスを目標スライスに接続する。したがって、本発明の本実施形態では、ＵＥ端は、現在ネットワークのスライスリスト情報から、現在サービス要求に基づき、サービス要求により要求される目標スライスを選択する。このように、ＵＥは、異なるサービス要求に基づき、アクセスされる必要のあるネットワークスライスを動的に選択でき、多角化するネットワークスライスに対するＵＥの要件が満たされる。
【０１２０】
図３を参照して、ＵＥによるスライス選択ポリシに基づき目標スライスを選択する処理が以下に詳細に記載される。本発明の一実施形態では、アプリケーション粒度がスライス選択ポリシを設定する粒度として使用され及びサービス要求がアプリケーションにより開始されるシナリオが、説明のために用いられる。
【０１２１】
３０１。ＵＥは、スライス選択ポリシを設定し、スライス選択ポリシを格納する。
【０１２２】
アプリケーション粒度に基づきアプリケーションについてスライス選択ポリシを設定するとき、ＵＥは、ユーザが最初にアプリケーションを起動するとき、ユーザがスライス選択ポリシを設定できるようにし、又は、ユーザがアプリケーション内で特定サービスを選択するときスライス選択ポリシを設定できるようにし、或いは、ＵＥは、アプリケーションにより提供されるサービスのために共通に使用されるスライス情報に基づきアプリケーションのスライス選択ポリシを設定する。
【０１２３】
スライス選択ポリシは、ネットワークに対するアプリケーションの特定要件を含み、スライスのサービス品質要件及び課金要件のような情報を含んでよい。
【０１２４】
アプリケーションは、指定されたスライス選択ポリシ及びアプリケーション識別子（APP  ID）をＵＥへ送信し、ＵＥは、アプリケーション識別子及びアプリケーション識別子に対応するスライス選択ポリシを格納する。
【０１２５】
３０２。ＵＥは、アタッチ要求をコアネットワークへ送信する。
【０１２６】
ＵＥは、アタッチ要求（初期アタッチ）をＡＮへ送信する。アタッチ要求は、ＵＥ識別子（UE  ID）、ＵＥの使用種別（Usage  Type）、及びＵＥのサービス種別のような情報を伝達する。次に、ＡＮは、アタッチ要求をＳＳＦへ転送する。
【０１２７】
ＵＥの使用種別は、ＵＥの端末種別であり、ユーザにより使用される端末装置の種別識別子を一意に決定するために使用される。例えば、センサのような、ｍＭＴＣに適用可能な端末装置は、ｍＭＴＣサービスのみを実行できる。例えば、ＵＥの使用種別は、ネットワーク標準における、端末装置のアクセス能力を示す。例えば、ＬＴＥネットワーク内のモバイル装置は、ＬＴＥネットワークサービスのみを実行でき、又は５Ｇネットワーク内のモバイル装置は、５Ｇネットワークサービスのみを実行できる。したがって、使用種別とＵＥのサービス種別との間にマッピング関係がある。１つの使用種別は、複数のサービス種別に対応してよい。具体的に言うと、１つのＵＥは、複数のサービス種別のサービスをサポートしてよいが、ＵＥの使用種別はＵＥによりサポートされるサービス種別をある程度制限する。
【０１２８】
３０３。ＳＳＦは、加入者レポジトリにアクセスし、ＵＥ識別子に基づきＵＥの加入者データを検索し、ＵＥがネットワークにアクセスすることを許可されているか否かを決定し、ネットワークスライス上のネットワーク要素は、ＵＥに対してネットワーク認証を実行し、ＵＥはネットワークへのアタッチに成功する。
【０１２９】
３０４。ＵＥがネットワークへのアタッチに成功した後に、ＣＰは、アタッチ応答メッセージをＳＳＦへ送信する。
【０１３０】
３０５。ＳＳＦは、現在ネットワークによりサポートされるスライスリスト情報を、アタッチ応答メッセージに追加する。
【０１３１】
３０６。ＳＳＦは、ＡＮへ、現在ネットワークによりサポートされるスライスリスト情報を伝達するアタッチ応答メッセージを送信し、ＡＮは、次に、アタッチ応答メッセージをＵＥへ送信する。
【０１３２】
３０７。ＵＥは、受信したアタッチ応答メッセージの中で伝達される、現在ネットワークによりサポートされるスライスリスト情報を格納する。
【０１３３】
３０８。アプリケーションは、対応するスライスへのアクセスを要求するサービス要求を開始する。ここで、開始されるサービスは、サービス種別に対応している。アプリケーションは、アプリケーション識別子（APP  ID）及びサービスにより要求されるスライスのサービス種別をＵＥへ送信する。ＵＥは、取得したサービス種別を、ＵＥにより格納されたスライスリスト情報と照合して、フィルタリングされたスライス情報リスト（利用可能スライス情報）を取得する。後に、ＵＥは、取得したＡＰＰ  ＩＤに基づき、このアプリケーションについて、ステップ３０１で構成されたスライス選択ポリシを取得し、次に、対応するスライス、つまり目標スライスを、フィルタリングされた利用可能スライス情報から、取得したスライス選択ポリシに基づき選択して、目標スライスのスライス選択支援情報（S-NSSAI)）を取得する。ここで、スライス選択支援情報はスライスＩＤ（Nes-ID）であってよい。
【０１３４】
特定の実装では、スライス選択処理は、ＵＥが利用可能スライス情報について１つずつ、アプリケーションに対応するスライス選択ポリシに基づき、ソートし及び照合を実行することであってよい。例えば、アプリケーションについてのスライス選択ポリシが、サービス品質が高であり課金基準が「中」であるスライスが優先的に選択される必要があることである、と仮定する。この場合、先ず、利用可能スライス情報は、サービス品質が高であるスライスを選択するために、サービス品質に基づきソートされ、次に、選択されたスライスは、課金基準が「中」であるスライスを選択するために、課金基準に基づきソートされ、最後に、適切なスライスが選択され、スライスに対応するスライス識別子が取得される。
【０１３５】
３０９。スライスのスライス識別子（Nes-ID）を取得した後に、ＵＥは、セッション要求をＡＮへ送信する。ここで、セッション要求はスライスのＮｅｓ−ＩＤを伝達する。
【０１３６】
３１０。ＡＮは、Ｎｅｓ−ＩＤの内容に基づき、スライスのＣＰへセッション要求を送信する。
【０１３７】
３１１。ＣＰは、スライスについて認証及び認可動作を実行する。
【０１３８】
３１２。ＣＰは、セッション管理処理を実行し、ＵＰへの接続を確立する。
【０１３９】
３１３。ＣＰは、セッション確立応答メッセージをＵＥへ返し、ＵＥは、続いて、スライスを用いてアプリケーションにサービスを提供してよい。
【０１４０】
本発明の本実施形態では、ＵＥは、ＳＳＦから現在ネットワークのスライスリスト情報を取得する。ＵＥは、アプリケーションにより開始されたサービス要求に基づき、アプリケーションに対応するスライス選択ポリシを取得し、スライス選択ポリシに基づき、現在ネットワークのスライスリスト情報から適切なスライスを選択して、アプリケーションにより要求されるサービスをスライスに接続する。本発明の本実施形態では、ＵＥ端は、現在ネットワークのスライスリスト情報から、スライス選択ポリシに基づき、サービス要求により要求される目標スライスを選択する。このように、ＵＥは、異なるサービス要求に基づき、アクセスされる必要のあるネットワークスライスを動的に選択でき、多角化するネットワークスライスに対するＵＥの要件が満たされる。
【０１４１】
任意で、図３に示す実施形態に基づき、ステップ３０３の後に、ＳＳＦは、ＵＥの使用種別、ＵＥのサービス種別、及びＵＥの加入者データに基づき、ＵＥのために規定ネットワークスライスを選択してよい。ＳＳＦは、選択した規定ネットワークスライスに関する情報をアタッチ要求に追加し、アタッチ要求をＣＰへ送信する。ＣＰは、規定ネットワークスライスに対して認証動作を実行し、スライスのＵＰ接続を確立し、次に、ＣＰはステップ３０４を実行して、アタッチ応答メッセージをＳＳＦへ送信する。アタッチ応答要求を受信した後に、ＳＳＦはステップ３０５〜３１３を実行する。
【０１４２】
図３に示す実施形態では、ＳＳＦは、現在ネットワークによりサポートされるスライスリスト情報をアタッチ応答メッセージに追加し、アタッチ応答メッセージをＵＥに返す。実際の適用では、スライスリスト情報は、代替として、ＣＰ又はＡＮによりアタッチ応答メッセージに追加されてよい。
【０１４３】
図４に示すように、特定の実装では、ＣＰは、スライスリスト情報をアタッチ応答メッセージに追加する。
【０１４４】
ステップ４０１〜４０３は、図３に示す実施形態のステップ３０１〜３０３と同じであり、詳細は再びここに記載されない。
【０１４５】
４０４。ＣＰは、現在ネットワークによりサポートされるスライスリスト情報を、アタッチ応答メッセージに追加する。
【０１４６】
４０５。ＣＰは、ＳＳＦへ、現在ネットワークのスライスリスト情報を伝達するアタッチ応答メッセージを送信する。
【０１４７】
４０６。ＳＳＦは、ＵＥへ、ＡＮを介して、現在ネットワークのスライスリスト情報を伝達するアタッチ応答メッセージを送信する。
【０１４８】
ステップ４０７〜４１３は、図３に示す実施形態のステップ３０７〜３１３と同じであり、詳細は再びここに記載されない。
【０１４９】
図５に示すように、特定の実装では、ＡＮは、スライスリスト情報をアタッチ応答メッセージに追加する。
【０１５０】
ステップ５０１〜５０３は、図３に示す実施形態のステップ３０１〜３０３と同じであり、詳細は再びここに記載されない。
【０１５１】
５０４。ＣＰは、アタッチ応答メッセージをＳＳＦへ送信し、ＳＳＦは、アタッチ応答メッセージをＡＮへ送信する。
【０１５２】
５０５。ＡＮは、現在ネットワークによりサポートされるスライスリスト情報を、アタッチ応答メッセージに追加する。
【０１５３】
５０６。ＡＮは、ＵＥへ、現在ネットワークのスライスリスト情報を伝達するアタッチ応答メッセージを送信する。
【０１５４】
ステップ５０７〜５１３は、図３に示す実施形態のステップ３０７〜３１３と同じであり、詳細は再びここに記載されない。
【０１５５】
本発明の本実施形態では、現在ネットワークのスライスリスト情報を取得できる、ＣＰ、ＳＳＦ、又はＡＮを含む、ネットワーク側の各ネットワーク要素は、現在ネットワークによりサポートされるスライスリスト情報をアタッチ応答メッセージに追加して、スライスリスト情報をＵＥへ送信する。その結果、ＵＥは、現在ネットワークによりサポートされるスライスリスト情報から適切なスライスを選択できる。このように、ＵＥは、異なるサービス要求に基づき、アクセスされる必要のあるネットワークスライスを動的に選択でき、多角化するネットワークスライスに対するＵＥの要件が満たされる。
【０１５６】
本発明の本実施形態におけるネットワークスライス選択方法が上述された。本発明の実施形態におけるユーザ機器及びネットワーク装置は、機能モジュール及びハードウェア実装の観点から記載される。
【０１５７】
図６は、本発明の一実施形態によるユーザ機器の機能モジュール構造の概略図である。ユーザ機器は、以下の機能モジュール：  ネットワーク装置から、現在ネットワークのスライスリスト情報を取得するよう構成される取得ユニット６０１と、
目標サービス要求を決定するよう構成される要求決定ユニット６０２と、
現在ネットワークのスライスリスト情報から、目標サービス要求に基づき、目標サービス要求に対応する目標スライスを決定するよう構成される目標スライス決定ユニット６０３と、
目標サービス要求に対応するサービスを目標スライスに接続するよう構成されるサービス接続ユニット６０４と、を含む。
【０１５８】
幾つかの特定の実施形態では、目標スライス決定ユニット６０３は、
目標サービス要求に基づき、目標サービス要求に対応するスライス選択ポリシを決定するよう構成されるポリシ選択サブユニット６０３１と、
現在ネットワークのスライスリスト情報から、スライス選択ポリシに合う目標スライスを選択するよう構成されるスライス選択サブユニット６０３２と、を含む。
【０１５９】
幾つかの特定の実施形態では、取得ユニット６０１により取得される現在ネットワークのスライスリスト情報は、複数のスライス情報片を含み、各スライス情報片は、スライス情報のサービス種別を含み、
スライス選択サブユニット６０３２は、具体的に、目標サービス要求のサービス種別を決定し、現在ネットワークのスライスリスト情報から利用可能スライス情報を決定し、利用可能スライス情報は目標サービス種別に対応するスライス情報を含み、利用可能スライス情報から、スライス選択ポリシに合う目標スライスを選択するよう構成される。
【０１６０】
幾つかの特定の実施形態では、ポリシ選択サブユニット６０３１により決定されたスライス選択ポリシは、スライスのサービス品質要件及び課金要件のうちの少なくとも１つを含み、取得ユニット６０１により取得された現在ネットワークのスライスリスト情報の中で、各スライス情報片は、スライスのサービス品質基準及び課金基準のうちの少なくとも１つを含み、
スライス選択サブユニット６０３２は、具体的に、利用可能スライス情報から、サービス品質基準がスライス選択ポリシの中のサービス品質要件に合う目標スライスを選択するよう構成される、又は、
スライス選択サブユニット６０３２は、具体的に、利用可能スライス情報から、課金基準がスライス選択ポリシの中の課金要件に合う目標スライスを選択するよう構成される、又は、
スライス選択サブユニット６０３２は、具体的に、利用可能スライス情報から、サービス品質基準がスライス選択ポリシの中のサービス品質要件に合い且つ課金基準がスライス選択ポリシの中の課金要件に合う目標スライスを選択するよう構成される。
【０１６１】
幾つかの特定の実施形態では、ユーザ機器は、
スライス選択ポリシを取得するよう構成されるポリシ取得ユニット６０５と、
スライス選択ポリシ情報を格納するよう構成される記憶ユニット６０６であって、スライス選択ポリシ情報はスライス選択ポリシを含む、記憶ユニット６０６と、を更に含む。
【０１６２】
任意で、スライス選択ポリシ情報は、サービス種別の識別子を含む。目標サービス要求が目標サービス要求の目標サービス種別の識別子を含むとき、ポリシ選択サブユニット６０３１は、具体的に、ポリシ取得ユニット６０５により取得されたスライス選択ポリシ情報から、目標サービス種別の識別子に対応するスライス選択ポリシを決定するよう構成される。
【０１６３】
任意で、スライス選択ポリシ情報は、アプリケーション識別子を含む。目標サービス要求が目標サービス要求を開始した目標アプリケーションの識別子を含むとき、ポリシ選択サブユニット６０３１は、具体的に、ポリシ取得ユニット６０５により取得されたスライス選択ポリシ情報から、目標アプリケーションの識別子に対応するスライス選択ポリシを決定するよう構成される。
【０１６４】
幾つかの特定の実施形態では、取得ユニット６０１は、具体的に、ネットワーク装置へアタッチ要求を送信し、ネットワーク装置から、アタッチ要求に応答するアタッチ応答メッセージを受信するよう構成され、アタッチ応答メッセージは、現在ネットワークのスライスリスト情報を含む。
【０１６５】
幾つかの特定の実施形態では、要求決定ユニット６０２は、具体的に、ユーザにより入力されたサービス選択命令を受信し、サービス選択命令に基づき目標サービス要求を決定するよう構成される。
【０１６６】
図６に示すユーザ機器内のユニット間の情報交換については、前述の方法の実施形態のうち、ＵＥが図２に示す実施形態でスライス選択ポリシに基づき目標スライスを選択するソリューションにおける記載、及び図３〜図５に示す実施形態における記載を参照する。詳細は、再び本願において記載されない。
【０１６７】
図７は、本発明の一実施形態によるユーザ機器の別の機能モジュール構造の概略図である。ユーザ機器は、以下の機能モジュール：
ネットワーク装置から、現在ネットワークのスライスリスト情報を取得するよう構成される取得ユニット７０１と、
目標サービス要求を決定するよう構成される要求決定ユニット７０２と、
現在ネットワークのスライスリスト情報から、目標サービス要求に基づき、目標サービス要求に対応する目標スライスを決定するよう構成される目標スライス決定ユニット７０３と、
目標サービス要求に対応するサービスを目標スライスに接続するよう構成されるサービス接続ユニット７０４と、を含む。
【０１６８】
幾つかの特定の実施形態では、取得ユニット７０１により取得される現在ネットワークのスライスリスト情報は、複数のスライス情報片を含み、各スライス情報片は、スライス情報のサービス種別を含み、目標スライス決定ユニット７０３は、
目標サービス要求の目標サービス種別を決定するよう構成されるサービス種別決定サブユニット７０３１と、
現在ネットワークのスライスリスト情報から、利用可能スライス情報を決定するよう構成される利用可能スライス決定サブユニット７０３２であって、利用可能スライス情報は、目標サービス種別に対応するスライス情報を含む、利用可能スライス決定サブユニット７０３２と、
ユーザにより入力されたスライス選択命令を受信するよう構成される命令受信サブユニット７０３３であって、スライス選択命令は、利用可能スライス情報から目標スライスを選択するために使用される、命令受信サブユニット７０３３と、
スライス選択命令に基づき、利用可能スライス情報から目標スライスを決定するよう構成されるスライス決定サブユニット７０３４と、を含む。
【０１６９】
図７に示すユーザ機器内のユニット間の情報交換については、前述の方法の実施形態のうち、ＵＥが図２に示す実施形態でユーザにより入力されたサービス選択命令に基づき目標スライスを選択するソリューションにおける記載を参照する。詳細は、再び本願において記載されない。
【０１７０】
実際の適用では、上述のように、ＵＥは、ハンドヘルド装置、車内装置、ウェアラブル装置、又は無線通信機能を有するコンピューティング装置、又は無線モデムに接続された別の処理装置、及び移動局、端末、端末装置、様々な形態のモノのインターネット装置を含んでよい。例えば、ＵＥは、ｅＭＢＢシナリオに適用される仮想現実装置、ｍＭＴＣシナリオに適用されるセンサ内蔵モノのインターネット装置、又はＵＲＬＬＣシナリオに適用される端末装置であってよい。
【０１７１】
図８は、本発明の一実施形態によるユーザ機器の部分構造のブロック図である。実際の適用では、ユーザ機器のハードウェア構造は、アプリケーションシナリオと共に変化し、したがって、異なる構成又は性能が比較的大きな相違を生じる。
【０１７２】
図８を参照すると、ユーザ機器は、無線周波数（Radio  Frequency、RF）回路８１０、メモリ８２０、入力ユニット８３０、ディスプレイユニット８４０、センサ８５０、オーディオ周波数回路８６０、無線フィデリティ（Wireless  Fidelity、Wi-Fi）モジュール８７０、プロセッサ８８０、及び電源８９０のようなコンポーネントを含む。当業者は、図８に示す構造がユーザ機器に対するいかなる限定も構成しないことを理解し得る。ユーザ機器は、図示されたものより、多くの又は少ないコンポーネントを含んでよい。或いは、幾つかのコンポーネントは結合されてよい。異なる分野に適用されるとき、図８に示すコンポーネントは、コンポーネントがユーザ機器の必須構成でないならば、本発明の本質の範囲を変更することなく、要件に従い全体的に省略されてよい。
【０１７３】
ユーザ機器のコンポーネントは、具体的に図８を参照して記載される。
【０１７４】
ＲＦ回路８１０は、情報受信／送信処理又は呼処理の間に、信号を受信し及び送信するよう構成されて良い。特に、基地局のダウンリンク情報を受信した後に、ＲＦ回路８１０は、処理のためにダウンリンク情報をプロセッサ８８０へ送信し、アップリンクデータを基地局へ送信する。
【０１７５】
メモリ８２０は、コンピュータソフトウェアプログラム、データ、又はオペレーティングシステムを格納するよう構成されてよい。プロセッサ８８０は、ユーザ機器の種々の機能アプリケーション及びデータ処理を実行するために、メモリ８２０に格納されたソフトウェアプログラムを実行する。メモリ８２０は、主に、プログラム記憶領域及びデータ記憶領域を含んでよい。プログラム記憶領域は、オペレーティングシステム、少なくとも１つの機能により要求されるアプリケーションプログラム、等を格納してよい。データ記憶領域は、ユーザ機器の使用に基づき生成されるデータ、等を格納してよい。さらに、メモリ８２０は、高速ランダムアクセスメモリを含んでよく、不揮発性メモリ、例えば少なくとも１つの磁気ディスク記憶コンポーネント、フラッシュメモリコンポーネント、又は別の揮発性固体記憶コンポーネントを更に含んでよい。
【０１７６】
入力ユニット８３０は、入力される数字又は文字情報を受信するよう構成されてよい。具体的に、入力ユニット８３０は、タッチパネル８３１、及び別の入力装置８３２を含んでよい。タッチパネル８３１は、タッチスクリーンとも呼ばれ、タッチパネル８３１上で又はその近くでユーザにより実行されたタッチ動作を収集し、プリセットプログラムに従い、対応する接続機器を駆動してよい。
【０１７７】
ディスプレイユニット８４０は、ユーザにより入力された情報又はユーザに提供される情報を表示するよう構成されてよい。ディスプレイユニット８４０は、ディスプレイパネル８４１を含んでよい。任意で、タッチパネル８３１及びディスプレイパネル８４１は、ユーザ機器の入力及び出力機能を実装するために統合されてよい。
【０１７８】
ユーザ機器は、センサ８５０、例えば、光センサ、動きセンサ、及び別のモノのインターネットセンサを更に含んでよい。
【０１７９】
プロセッサ８８０は、ユーザ機器の制御センタであり、種々のインタフェース及び線を用いることによりユーザ機器の全ての部分に接続される。プロセッサ８８０は、ユーザ機器の種々の機能及びデータ処理を実行するために、メモリ８２０に格納されたソフトウェアプログラム及び／又はモジュールを走らせ又は実行し及びメモリ８２０に格納されたデータを呼び出す。具体的に、本発明の本実施形態では、プロセッサ８８０は、メモリ８２０内のソフトウェアプログラムを呼び出して、図２〜図５に示した実施形態においてＵＥにより実行されたステップを実行する。
【０１８０】
本発明の実施形態の中のネットワーク装置は以下に記載される。
【０１８１】
図９は、本発明の一実施形態によるネットワーク装置の機能モジュール構造の概略図であり、ネットワーク装置は、以下の機能ユニット：
ユーザ機器ＵＥのアタッチ要求メッセージを受信した後に、現在ネットワークのスライスリスト情報を取得するよう構成される取得ユニット９０１と、
アタッチ要求メッセージに基づきアタッチ応答メッセージを生成するよう構成される生成ユニット９０２と、
アタッチ応答メッセージをＵＥへ送信するよう構成される送信ユニット９０３であって、アタッチ応答メッセージは、現在ネットワークのスライスリスト情報を含み、現在ネットワークのスライスリスト情報は、ＵＥが目標サービス要求を受信した後に、目標サービス要求に基づき現在ネットワークのスライスリスト情報から、目標サービス要求に対応するサービスによりアクセスされるべき目標スライスを決定するためにＵＥにより使用される、送信ユニット９０３と、を含む。
【０１８２】
実際の適用では、ネットワーク装置は、図１に示すネットワークスライスアーキテクチャにおける、ＡＮ、ＳＳＦ、及びＣＰの中の１つ以上のネットワーク要素に対応するネットワーク装置、又はＡＮ、ＳＳＦ、及びＣＰの中の１つ以上のネットワーク要素に対応する機能モジュールであってよい。
【０１８３】
幾つかの特定の実施形態では、ネットワーク装置がスライス選択機能装置であるとき、選択ユニット９０３は、具体的に、アクセスネットワーク装置を介して、ＵＥへアタッチ応答メッセージを送信するよう構成される。
【０１８４】
幾つかの特定の実施形態では、ネットワーク装置が制御プレーン装置であるとき、送信ユニット９０３は、具体的に、アタッチ応答メッセージをスライス選択機能装置へ送信するよう構成され、アタッチ応答メッセージは、アクセスネットワーク装置を介して、スライス選択機能装置により、ＵＥへ送信される。
【０１８５】
幾つかの特定の実施形態では、ネットワーク装置がアクセスネットワーク装置であるとき、選択ユニット９０３は、具体的に、ＵＥへアタッチ応答メッセージを送信するよう構成される。
【０１８６】
図９に示すネットワーク装置内のユニット間の情報交換については、前述の方法の実施形態のうち、図２〜図５に示した実施形態における記載を参照する。詳細は、再び本願において記載されない。
【０１８７】
実際の適用では、異なる構成又は性能は、ネットワーク装置のハードウェア構造において比較的大きな相違を生じる。図１０に示すように、ネットワーク装置は１つ以上のプロセッサ１００１、少なくとも１つのメモリ１００２、及び少なくとも１つのネットワークインタフェース１００３を含んでよい。メモリ１００２は、１つ以上のオペレーティングシステムを格納し、及びコンピュータプログラムコード及びデータを格納するよう構成される。メモリ１００２に格納されたコンピュータプログラムコードは、１つ以上のモジュール（図中に示されない）を含んでよく、各モジュールは、制御プレーン装置に適用される一連の命令動作を含んでよい。プロセッサ１００１は、メモリ１００２及びネットワークインタフェース１００３と通信する。制御プレーン装置は、ネットワークインタフェース１００３を用いて、コアネットワーク内の他の装置及び基地局と通信する。プロセッサ１００１は、制御プレーン装置上で、メモリ１００２内の一連の命令動作を実行して、前述の方法の実施形態（図２〜図５に示した実施形態）におけるネットワーク装置により実行されるステップのうちの全部又は一部を実行する。
【０１８８】
当業者は、図１０に示す構造がネットワーク装置に対するいかなる限定も構成しないことを理解し得る。ネットワーク装置は、図示されたものより、多くの又は少ないコンポーネントを含んでよい。或いは、幾つかのコンポーネントは結合されてよい。例えば、ネットワーク装置がアクセスネットワーク装置（例えば、基地局）であるとき、ネットワーク装置は、受信機及び送信機を更に含む。
【０１８９】
さらに、本願は、コンピュータ記憶媒体を更に提供する。媒体は、アプリケーションプログラムを格納し、プログラムが実行すると、前述のネットワークスライス選択方法（図２〜図５に示した実施形態）におけるステップのうちの一部又は全部が含まれる。
【０１９０】
前述の実施形態の全部又は一部は、ソフトウェア、ハードウェア、ファームウェア又はそれらの任意の組み合わせを用いて実施されてよいことに留意すべきである。実施形態を実施するためにソフトウェアが使用されるとき、実施形態は、完全に又は部分的にコンピュータプログラムプロダクトの形式で実施されてよい。
【０１９１】
コンピュータプログラムプロダクトは、１つ以上のコンピュータ命令を含む。コンピュータプログラム命令はコンピュータ上にロードされ実行されると、本発明の実施形態による処理又は機能が全部又は部分的に生成される。コンピュータは、汎用コンピュータ、専用コンピュータ、コンピュータネットワーク、又は他のプログラマブル機器であってよい。コンピュータ命令は、コンピュータ可読記憶媒体に格納されてよく、又はあるコンピュータ可読記憶媒体から別のコンピュータ可読記憶媒体へ送信されてよい。例えば、コンピュータ命令は、ウェブサイト、コンピュータ、サーバ、又はデータセンタから、別のウェブサイト、コンピュータ、サーバ、又はデータセンタへ、有線（例えば同軸ケーブル、光ファイバ、又はデジタル加入者線（ＤＳＬ））又は無線（例えば赤外線、無線、マイクロ波）方式で送信されてよい。コンピュータ可読記憶媒体は、コンピュータ、又は１つ以上の使用可能媒体を統合するサーバ若しくはデータセンタのようなデータ記憶装置によりアクセス可能な任意の使用可能媒体であってよい。使用可能媒体は、磁気媒体（例えば、フロッピーディスク、ハードディスク、又は磁気テープ）、光媒体（例えば、ＤＶＤ）、半導体媒体（例えば、ソリッドステートディスク（Solid  State  Disk、SSD））、等であってよい。
【０１９２】
便宜上及び簡潔な説明のために、前述のシステム、装置、及びユニットの詳細な動作処理については、前述の方法における対応する処理を参照して良く、詳細事項はここで再び記載されないことが、当業者により明らかに理解され得る。
【０１９３】
本願において提供される幾つかの実施形態では、開示のシステム、機器、及び方法は他の方法で実装されてよいことが理解されるべきである。例えば、記載した機器の実施形態は単なる一例である。例えば、ユニットの分割は、単なる論理的機能の分割であり、実際の実装では他の分割であってよい。例えば、複数のユニット又はコンポーネントは、別のシステムに結合されてよく又は統合されてよい。或いは、幾つかの機能は無視されるか又は実行されなくてよい。さらに、表示した又は議論した相互結合又は直接結合又は通信接続は、幾つかのインタフェースを使用することにより実装されてよい。機器又はユニット間の間接結合又は通信接続は、電子的、機械的又は他の形式で実装されてよい。
【０１９４】
別個の部分として記載されたユニットは、物理的に別個であってよく、又はそうでなくてよい。ユニットとして示される部分は、物理的ユニットであってよく又はそうでなくてよく、１つの位置に置かれ又は複数のネットワークユニットに分散されてよい。一部又は全部のユニットは、実施形態のソリューションの目的を達成するために実際の要件に依存して選択されてよい。
【０１９５】
さらに、本願の実施形態における機能ユニットは、１つの処理ユニットに統合されてよく、或いは各ユニットが物理的に単独で存在してよく、或いは２以上のユニットが１つのユニットに統合されてよい。統合ユニットは、ハードウェアの形式で実装されてよく、又はソフトウェア機能ユニットの形式で実装されてよい。
【０１９６】
統合ユニットがソフトウェア機能ユニットの形式で実装され、独立した製品として販売され又は使用されるとき、統合ユニットは、コンピュータ可読記憶媒体に格納されてよい。このような理解に基づき、本願の基本的技術的ソリューション、又は従来技術に貢献する部分、又は技術的ソリューションの全部若しくは一部は、ソフトウェアプロダクトの形式で実施されてよい。コンピュータソフトウェアプロダクトは、記憶媒体に格納され、コンピュータ装置（パーソナルコンピュータ、サーバ、ネットワーク装置、等であってよい）に、本願の実施形態で記載された方法のステップの全部又は一部を実行するよう指示する複数の命令を含む。前述の記憶媒体は、ＵＳＢフラッシュディスク、取り外し可能ハードディスク、読み出し専用メモリ（Read-Only  Memory、ROM）、ランダムアクセスメモリ（Random  Access  Memory、RAM）、磁気ディスク又は光ディスクのような、プログラムコードを格納可能な任意の媒体を有する。
【０１９７】
纏めると、前述の実施形態は、本願を限定するのではなく、単に本願の技術的ソリューションを説明することを目的とする。本願は、前述の実施形態を参照して詳細に説明されたが、当業者は、本願の実施形態の技術的ソリューションの精神及び範囲から逸脱することなく、彼らが前述の実施形態で説明した技術的ソリューションに変更を行い、又はそれら実施形態の幾つかの技術的特徴を等価に代替できることを理解する。
【図１】
0006941679.tif 000002
【図２】
0006941679.tif 000003
【図３】
0006941679.tif 000004
【図４】
0006941679.tif 000005
【図５】
0006941679.tif 000006
【図６】
0006941679.tif 000007
【図７】
0006941679.tif 000008
【図８】
0006941679.tif 000009
【図９】
0006941679.tif 000010
【図１０】
0006941679.tif 000011